(57)【特許請求の範囲】
【請求項１】
建物の床構造部に、水平方向に間隔をあけて立設される複数の支柱と、
前記各支柱の上端部の端面上に設けられ、前記上端部に固定される基部と、前記基部から上方に突出する係止突部とを有する係止部材と、
前記各支柱の下端部に固定される取付け部と、前記取付け部から前記支柱の軸線に垂直な一方向に突出する支持部とを有する支持部材と、
下枠本体と、前記下枠本体から前記一方向とは反対側の他方向に突出し、前記支持部に載置される載置部とを有する下枠と、
上枠本体と、前記上枠本体から前記他方向に突出し、前記支柱の上方で前記係止突部に前記一方向の上流側から当接して係止される掛合部とを有する上枠と、
前記下枠本体に固定される下縁部と、前記上枠本体に固定される上縁部とを有するパネル体と、を含み、
前記支持部材の取付け部は、前記各支柱の下端部の前記一方向に臨む側面に固定されていることを特徴とする手摺装置。
【請求項２】
前記支持部材は、前記支持部に連なり、前記支持部から前記一方向に突出する受け部をさらに有し、
前記下枠は、前記下枠本体から下方に延び、前記受け部に支持される脚部をさらに有することを特徴とする請求項１に記載の手摺装置。
【請求項３】
前記パネル体は、太陽光発電パネルであることを特徴とする請求項１または２に記載の手摺装置。
【発明の詳細な説明】
【技術分野】
【０００１】
本発明は、建物のバルコニー、ベランダ、屋上、テラス、通路などの屋外に臨む床構造部を構成する躯体に立設される複数の支柱に、太陽光発電パネルなどのパネル体が保持される手摺装置に関する。
【背景技術】
【０００２】
マンションなどの集合住宅、学校、病院、福祉施設、庁舎などの公共施設、会社および店舗などが入居する商用施設などの各種の用途に用いられる建物には、バルコニー、ベランダ、屋上、テラスなどの屋外に臨む床構造部が、その建物の躯体の一部として構築されている。
【０００３】
床構造部は、屋外に開放した構造であるので、利用者の安全性、建物の意匠性、風防、遮光などを目的として、強化ガラス板、アルミニウム合金板などの材料から成るパネル体を支柱に取り付けた手摺装置が設置されている。このような手摺装置の従来技術は、たとえば特許文献１に記載されている。
【０００４】
特許文献１に記載される従来技術の手摺装置は、支柱、パネル体、下枠、笠木を含んで構成される。支柱は、複数本が前述の床構造部を成す躯体に立設され、各支柱の下端部には、下部ブラケットがねじ止めされて固定される。
【０００５】
下部ブラケットには、支柱側に下枠支持材が固定され、下枠支持材よりも支柱から一方向に離れた側には、押縁材が嵌着される。下枠支持材と押縁材との間には、下枠が配置され、この下枠は、下枠支持材にねじ止めされて固定される。下枠は、パネル体の下縁部に嵌着される。パネル体は、強化ガラス製、樹脂製または木製の板状体から成る。
【０００６】
笠木は、その長手方向に垂直な断面が横長矩形状の中空押出し形材から成り、下端部には、下向きに開口した上側パネル呑込み溝を有している。上側パネル呑込み溝は、笠木の下端部において、支柱が取付けられる部位よりも水平方向一方向の、パネル体の上縁部が挿し込まれる位置に設けられる。この上側パネル呑込み溝は、支柱側に配設される一方の溝壁部と、一方の溝壁部に対して笠木の下端部の開口に向かって次第に広がるように傾斜した他方の溝壁部と、各溝壁部の上端に連なる溝底部とによって形成される。このような上側パネル呑込み溝には、パネル体の上縁部が嵌合して保持される。
【０００７】
下枠は、下側パネル呑込み溝を有し、下側パネル呑込み溝には、パネル体の下縁部が嵌合して保持される。
【０００８】
パネル体を取付けるに際しては、パネル体を斜めにして、その上縁部を上側パネル呑込み溝に挿し込んで嵌合させた後、パネル体を鉛直となるように回動させ、パネル体の下縁部に予め取付けられた下枠が下枠支持材にねじ止めされる。
【０００９】
このように、この従来技術では、容易な作業でパネル体を支柱に取付けることができ、手摺装置の組立て作業の効率化を図る技術が提案されている。
【先行技術文献】
【特許文献】
【００１０】
【特許文献１】特開２０１２−１３２１９８号公報
【発明の概要】
【発明が解決しようとする課題】
【００１１】
前述の特許文献１に記載される従来技術では、パネル体の下縁部に下枠を先に取付けておき、次にパネル体の上縁部を上側パネル呑込み溝に斜めに挿し込んで嵌合させた後、パネル体を傾斜した状態から鉛直となるように回動させて、下枠を下枠支持材にねじ止めする構成であるので、パネル体の上縁部を上側パネル呑込み溝へ挿し込んでから下枠を下枠支持材にねじ止めするまで、作業者が下枠を含むパネル体を手作業で支持しながら回動させて位置決めしなければならず、パネル体および下枠の全重量が作業者に負荷として作用してしまう。そのため、作業者は大きな労力を要し、手摺装置の組立て作業の効率を低下させてしまうという問題がある。
【００１２】
本発明の目的は、パネル体の組立て作業の作業者への負荷を軽減し、組立て作業の効率を向上することができる手摺装置を提供することである。
【課題を解決するための手段】
【００１３】
本発明は、建物の床構造部に、水平方向に間隔をあけて立設される複数の支柱と、
前記各支柱の上端部の端面上に設けられ、前記上端部に固定される基部と、前記基部から上方に突出する係止突部とを有する係止部材と、
前記各支柱の下端部に固定される取付け部と、前記取付け部から前記支柱の軸線に垂直な一方向に突出する支持部とを有する支持部材と、
下枠本体と、前記下枠本体から前記一方向とは反対側の他方向に突出し、前記支持部に載置される載置部とを有する下枠と、
上枠本体と、前記上枠本体から前記他方向に突出し、前記支柱の上方で前記係止突部に前記一方向の上流側から当接して係止される掛合部とを有する上枠と、
前記下枠本体に固定される下縁部と、前記上枠本体に固定される上縁部とを有するパネル体と、を含み、
前記支持部材の前記取付け部は、前記各支柱の下端部の前記一方向に臨む側面に固定されていることを特徴とする手摺装置である。
【００１４】
また本発明は、前記支持部材は、前記支持部に連なり、前記支持部から前記一方向に突出する受け部をさらに有し、
前記下枠は、前記下枠本体から下方に延び、前記受け部に支持される脚部をさらに有することを特徴とする。
前記パネル体は、太陽光発電パネルであることを特徴とする。
【発明の効果】
【００１５】
本発明によれば、建物の床構造部に複数の支柱が水平方向に間隔を立設される。各支柱の上端部の端面上には、係止部材が設けられ、各支柱の下端部には、支持部材が設けられる。係止部材は、支柱の上端部に固定される基部と、基部から上方に突出する係止突部とを有する。支持部材は、支柱の下端部に固定される取付け部と、取付け部から一方向に突出する支持部とを有する。また、下枠は、下枠本体と、下枠本体から他方向に突出する載置部とを有し、上枠は、上枠本体と、上枠本体から他方向に突出し、支柱の上方で前記係止突部に前記一方向の上流側から当接して係止される掛合部とを有する。さらに、パネル体の下縁部は下枠本体に固定され、パネル本体の上縁部は上枠本体に固定される。
【００１６】
このように、支柱の上端部の端面上に係止突部を有する係止部材が固定され、支柱の下端部には支持部を有する支持部材が固定されるとともに、パネル体の下縁部が固定される下枠は載置部を有し、パネル体の上縁部に固定される上枠は、上枠本体から他方向に突出し、支柱の上方で前記係止突部に前記一方向の上流側から当接して係止される掛合部を有するので、下枠の載置部を支持部材の支持部に載置した状態で、上枠の掛合部を支柱の上端部に固定される係止部材の係止突部に掛合して係止すればよいので、作業者は下枠および上枠が取付けられたパネル体を前記従来技術のように手作業で支持する必要がなくなり、パネル体の組立て作業に要する作業者の労力を格段に削減し、手摺装置の取付け作業の効率を向上することができる。
【００１７】
また本発明によれば、支持部材は、支持部から一方向に突出する受け部を有し、下枠は、下枠本体から下方に延びる脚部を有するので、脚部を受け部に支持した状態で、パネル体の位置決め作業および係止突部への掛合部の掛合作業を安定して行うことができる。これによって、作業者の労力の負担を少なくして、パネル体の組付け時の作業性を向上し、手摺装置の取付け作業の効率化を図ることができる。
【００１８】
また本発明によれば、パネル体が太陽光発電パネルであるので、安全性、意匠性、風防、遮光などの従来と同様な手摺装置としての機能を果たすとともに、太陽光発電による電力を得ることができる手摺装置を容易に実現することができる。
【図面の簡単な説明】
【００１９】
【図１】本発明の一実施形態の手摺装置１の全体の構成を示す断面図である。
【図２】支柱３の上端部４付近の拡大断面図である。
【図３】図１の切断面線ＩＩＩ−ＩＩＩから見た断面図である。
【図４】図１の切断面線ＩＶ−ＩＶから見た断面図である。
【図５】支柱３の下端部９付近の拡大断面図である。
【図６】パネル体２１が手摺装置１に取付けられた状態を示す正面図である。
【図７】本発明の他の実施形態を示す断面図である。
【図８】本発明の他の実施形態を示す断面図である。
【図９】本発明の他の実施形態を示す断面図である。
【発明を実施するための形態】
【００２０】
図１は、本発明の一実施形態の手摺装置１の全体の構成を示す断面図である。本実施形態では、建物の屋外に臨むバルコニーを構成するコンクリート構造物から成る床構造部である躯体２に構築される手摺装置について、以下に説明する。
【００２１】
本実施形態の手摺装置１は、建物の床構造部を構成する躯体２に、水平方向に間隔をあけて立設される複数の支柱３と、各支柱３の上端部４の端面５上に設けられ、上端部４に固定される基部６および基部６から上方に突出する係止突部７を有する係止部材８と、各支柱３の下端部９に固定される取付け部１０および取付け部１０から支柱３の軸線Ｌ１に垂直な一方向Ａ１に突出する支持部１１を有する支持部材１２と、下枠本体１３および下枠本体１３から一方向Ａ１とは反対側の他方向Ａ２に突出し、支持部１１に載置される載置部１４を有する下枠１５と、上枠本体１６および上枠本体１６から他方向Ａ２に突出し、係止突部７に係止される掛合部１７を有する上枠１８と、下枠本体１３に固定される下縁部１９および上枠本体１６に固定される上縁部２０を有するパネル体２１と、各支柱３の上端部４に固定される笠木２２とを含む。
【００２２】
図２は支柱３の上端部４付近の拡大断面図であり、図３は図１の切断面線ＩＩＩ−ＩＩＩから見た断面図であり、図４は図１の切断面線ＩＶ−ＩＶから見た断面図である。支柱３は、躯体２に軸線Ｌ１が鉛直となるように立設される支柱本体２３と、支柱本体２３に同軸に外挿される支柱カバー２４とを有する。支柱本体２３は、軸線Ｌ１に垂直な断面が大略的に正方形の筒体であり、たとえば鋼鉄製の押出形材から成る。支柱カバー２４は、軸線Ｌ１に垂直な断面が大略的に片側（図３の右側）が面取りされた長方形の筒体であり、たとえばアルミニウム合金製の押出形材から成る。支柱本体２３には、一対の目板２５が軸線Ｌ１と平行に２つの側面に沿って配設され、支柱カバー２４がボルト２６によってねじ止めされる。
【００２３】
支柱カバー２４の上端部によって、前述の支柱３の上端部４が実現され、支柱カバー２４の上端部の端面によって、前述の端面５が実現される。端面５上には、支柱カバー２４から両側に突出した一対のねじ受け部２７を有する連結板２８が乗載され、連結板２８は、各ねじ受け部２７間の蓋部２９がタッピングビス３０によって支柱カバー２４の蟻溝にねじ止めされる。各ねじ受け部２７は、タッピングビス３１によって笠木２２にねじ止めされる。このように支柱３の上端部４に笠木２２が固定される。
【００２４】
笠木２２と連結板２８の蓋部２９との間には、係止部材８の基部６が介在し、蓋部２９と基部６とはボルト３２およびナット３３によって固定される。基部６から上方に突出する係止突部７は、基部６から垂直に立上がる立上がり部分７ａと、立上がり部分７ａの上端に、軸線Ｌ１から離反する方向、すなわち一方向Ａ１に垂直に屈曲して連なる屈曲部分７ｂとを有する。立上がり部分７ａには、上枠１８の掛合部１７が一方向Ａ１上流側から当接して係止され、タッピングビス３４によって固定される。連結板２８は、たとえばアルミニウム合金の押出形材から成る短尺材によって実現される。
【００２５】
上枠本体１６は、第１壁部１６ａ〜第８壁部１６ｈによって構成される。第１壁部１６ａは、板状であって鉛直に配置され、その上端には第２壁部１６ｂが垂直に連なる。第２壁部１６ｂは、板状であって水平に配置され、一方向Ａ１の側端は第１壁部１６ａの上端に連なる。他方向Ａ２の側端には、水平に掛合部１７が連なるとともに、鉛直に延びる板状の第３壁部１６ｃの上端が連なる。第３壁部１６ｃの下端には、水平に延びる第４壁部１６ｄの他方向Ａ２の側壁が連なるとともに、鉛直に延びる第５壁部１６ｅの上端が連なる。第４壁部１６ｄの一方向Ａ１の側端には、断面が略Ｃ字状の第６壁部１６ｆが連なり、第６壁部１６ｆの上部の一方向Ａ１方向側の角部と第１壁部１６ａの下端との間には、下方に向かって他方向Ａ２に傾斜した傾斜部分を有する第７壁部１６ｇが形成される。第７壁部１６ｇには、断面が鉤状の第８壁部１６ｈが連なって形成される。
【００２６】
このような上枠本体１６は、筒状であって、上枠本体１６と掛合部１７とを含んで、上枠１８が構成される。上枠１８は、アルミニウム合金の押出形材から成る長尺材によって実現される。
【００２７】
図５は、支柱３の下端部９付近の拡大断面図である。支柱３の下端部９の一方向Ａ１に臨む側面には、支持部材１２の取付け部１０がタッピングビス３５によってねじ止めされて固定される。取付け部１０は、板状であって、その上端には第１壁部１１ａの他方向Ａ２側の側端が垂直に連なり、第１壁部１１ａの一方向Ａ１側の側端には、第２壁部１１ｂの上端が連なり、第２壁部１１ｂの下端には、第３壁部１１ｃの一方向Ａ１側の側端が垂直に連なり、第３壁部１１ｃの他方向Ａ２側の側端は、取付け部１０の下端に垂直に連なる。
【００２８】
第１〜第３壁部１１ａ〜１１ｃによって、支持部１１が構成され、支持部１１と取付け部１０とによって、断面が四角形の筒状体を構成する。第２壁部１１ｂの下部には、一方向Ａ１に突出する、断面が略Ｌ字状の受け部３６が一体に形成される。
【００２９】
下枠本体１３は、第１壁部１３ａ〜第７壁部１３ｇを含んで構成される。第１壁部１３ａは、板状であって鉛直に延び、第１壁部１３ａの上端には、階段状の第２壁部１３ｂの下端が連なる。第２壁部１３ｂの上端には、板状であって水平な第３壁部１３ｃの一方向Ａ１側の側端が連なり、第３壁部１３ｃの他方向Ａ２側の側端には、第４壁部１３ｄの上端が垂直に連なる。第４壁部１３ｄの下端には、下方に向かって一方向Ａ１側に傾斜した第５壁部１３ｅの上端が連なり、第５壁部１３ｅの下端には、載置部１４が連なって形成される。載置部１４は、支持部１１の第１壁部１１ａに載置され、タッピングビス３７によって第１壁部１１ａに固定される。
【００３０】
載置部１４の一方向Ａ１側の側端には、水平に延びる板状の第６壁部１３ｆの他方向Ａ２側の側端と脚部３９の上端とが連なり、第６壁部１３ｆの一方向Ａ１側の側端には、鉛直に延びる板状の第７壁部１３ｇの上端が連なる。第７壁部１３ｇには、他方向Ａ２に突出して断面が略Ｔ字状の嵌合片３８が一体に設けられる。
【００３１】
脚部３９は、鉛直に延び、その下端部は受け部３６によって支持される。脚部３９にはケーブル４０を収容して支持するケーブル支持片４１がビス４２によって固定される。ケーブル支持片４１は、鉛直に延びる第１壁部４１ａと、第１壁部４１ａに他方向Ａ２側の側端が垂直に連なり、水平に延びる第２壁部４１ｂと、第２壁部４１ｂの一方向Ａ１側の側端に上端が連なり、鉛直に延びる断面が左右反転した略Ｃ字状の嵌合溝部を形成する第３壁部４１ｃと、第３壁部４１ｃの下端に連なり、下方に延びる板状の第４壁部４１ｄと、第４壁部４１ｄから他方向Ａ２側に突出する鉤状の第５壁部４１ｅとを含む。第５壁部４１ｅには、タッピングビス４３によってケーブルカバー４４がねじ止めされて固定される。
【００３２】
第１〜第５壁部４１ａ〜４１ｅおよび前述の下枠本体１３は、アルミニウム合金の押出形材から成る長尺材によって実現される。
【００３３】
図６は、パネル体２１が手摺装置１に取付けられた状態を示す正面図である。図１、図２および図５をも参照して、前述のパネル体２１は、複数の太陽光発電素子４７が格子状に整列して取付けられた、正面視が矩形の板状体から成るパネル本体４８と、パネル本体４８の上縁部に嵌着される上額縁４９と、パネル本体４８の下縁部に嵌着される下額縁５０とを含んで構成される。パネル本体４８には、前述のケーブル４０が接続される。
【００３４】
上額縁４９は、固定金具５１によって押えられ、ボルト５２およびナット５３によって上枠本体１６に固定される。下額縁５０は、固定金具５４によって押えられ、ボルト５５およびナット５６によって下枠本体１３に固定される。
【００３５】
以上のように構成される手摺装置１によれば、支柱３の上端部４の端面５上に係止突部７を有する係止部材８が固定され、支柱３の下端部９には、支持部１１を有する支持部材１２が固定され、下枠１５の載置部１４が支持部１１に固定され、上枠１８の掛合部１７が係止突部７に係止されるので、作業者はパネル体２１を手作業で支持してパネル体２１を支柱３へ取付ける必要がなくなる。これによって作業者の取付け作業の労力を削減して、取付け時の作業性を向上することができる。
【００３６】
また、支持部材１２は受け部３６を有し、下枠１５は脚部３９を有するので、脚部３９を受け部３６に支持した状態でパネル体２１の位置決め作業および係止突部７への掛合部１７の掛合作業を安定して行うことができる。これによってもまた、作業者の労力を少なくして、作業性を向上し、取付け作業の効率化を図ることができる。
【００３７】
また、パネル体２１は太陽光発電パネルであるので、従来と同様に、安全性、意匠性、風防、遮光などの手摺装置としての機能を果たすとともに、太陽光発電による電力を得ることができる手摺装置を容易に実現することができる。
【００３８】
本発明の他の実施形態として、前述の太陽光発電パネルであるパネル体２１に代えて、図７に示される強化ガラス５７から成るパネル体２１ａであってもよく、図８に示されるように、複数の横桟５８を平行に配列した横格子状のパネル体２１ｂであってもよく、さらに図９に示されるように、複数の縦桟５９を平行に配列した縦格子状のパネル体２１ｃであってもよい。これらの他の実施形態においても、前述の実施形態と同様な効果を奏することができる。
【符号の説明】
【００３９】
１  手摺装置
２  躯体
３  支柱
４  上端部
５  端面
６  基部
７  係止突部
８  係止部材
９  下端部
１０  取付け部
１１  支持部
１２  支持部材
１３  下枠本体
１４  載置部
１５  下枠
１６  上枠本体
１７  掛合部
１８  上枠
２１  パネル体
２２  笠木
２３  支柱本体
３６  受け部
３８  掛合片
３９  脚部
４０  ケーブル
４８  パネル本体
４９  上額縁
５０  下額縁
【図１】
0006648983.tif 000002
【図２】
0006648983.tif 000003
【図３】
0006648983.tif 000004
【図４】
0006648983.tif 000005
【図５】
0006648983.tif 000006
【図６】
0006648983.tif 000007
【図７】
0006648983.tif 000008
【図８】
0006648983.tif 000009
【図９】
0006648983.tif 000010